(57)【要約】【課題】香り発生手段を備えた空気清浄機において、香り拡散性の更なる向上を目的とする。【解決手段】送風手段６によって、第１の吸込口８から吸い込まれた空気が、清浄フィルタ４と脱臭フィルタ１５を介して吹出口２へ送風される第１の風路１１と、送風手段６によって、第２の吸込口９から吸い込まれた空気が、清浄フィルタ４を介して吹出口２へ送風される第２の風路１２とを有し、第１の風路１１における清浄フィルタ４と送風手段６との間であると共に、第２の風路１２における清浄フィルタ４と送風手段６との間に風路開閉手段７を設け、この風路開閉手段７は、第１の風路１１を開閉する構成とし、香り調整手段である風向変更板３０によって、香り発生手段２７からの香りの発生量を最大にすると、風路開閉手段７は、第１の風路１１を閉じるので、脱臭フィルタ１５によって、香り発生手段２７からの香りを脱臭することを防止することができる。【選択図】図６
2015021701.tif 000002
【特許請求の範囲】
【請求項１】
吹出口と第１の吸込口と第２の吸込口を有する本体ケースと、前記第１の吸込口と第２の吸込口とに設けた空気清浄手段と、前記第１の吸込口に備えた脱臭手段と、前記空気清浄手段と前記吹出口との間に備えた送風手段と、前記吹出口に設けた香り発生手段と、この香り発生手段からの香りの発生量を調整する香り調整手段とからなり、前記送風手段によって、前記第１の吸込口から吸い込まれた空気が、前記空気清浄手段と前記脱臭手段を介して吹出口へ送風される第１の風路と、前記送風手段によって、前記第２の吸込口から吸い込まれた空気が、前記空気清浄手段を介して吹出口へ送風される第２の風路とを有し、前記第１の風路における前記空気清浄手段と前記送風手段との間であると共に、前記第２の風路における前記空気清浄手段と前記送風手段との間に風路開閉手段を設け、この風路開閉手段は、前記第１の風路を開閉する構成とし、前記香り調整手段によって、前記香り発生手段からの香りの発生量を最大にすると、前記風路開閉手段は、前記第１の風路を閉じることを特徴とする空気清浄機。
【請求項２】
前記本体ケース内に設けた加湿手段を備え、この加湿手段は、前記第２の風路における、前記空気清浄手段と前記風路開閉手段との間に位置する構成としたことを特徴とする請求項１に記載の空気清浄機。
【請求項３】
前記本体ケースの少なくとも一方側の側面下部に前記第２の吸込口を設け、前記第２の吸込口の上方に前記第１の吸込口を備え、前記第１の吸込口より上方に前記送風手段を有し、前記風路開閉手段は、前記本体ケース内に回動自在に設けられた円筒と、この円筒の側周面と接する遮蔽部と、前記円筒を回転する円筒回転手段とからなり、前記円筒は、上下方向が軸方向で側周面に少なくとも１つの側面開口を設け、前記第１の風路は、前記円筒の前記側面開口から上面の上面開口へと連通し、前記第２の風路は、前記円筒の下面の下面開口から上面の上面開口へと連通し、前記円筒回転手段によって、前記円筒を回転させると前記遮蔽部によって前記側面開口を開閉することを特徴とする請求項１または２に記載の空気清浄機。
【請求項４】
前記香り発生手段は、前記本体ケースに設けた香りの発生体を収納できる収納箱と、この収納箱から前記吹出口へ伸びると共に、前記収納箱と前記吹出口とを連通する連通路とからなり、前記香り調整手段は、前記吹出口に回動自在に設けた風向変更板で、この風向変更板を回動させることにより前記連通路の先端の開口部での風速を変化させることを特徴とする請求項１から３のいずれかに記載の空気清浄機。
【発明の詳細な説明】
【技術分野】
【０００１】
本発明は、一般家庭や事務所等で使用される空気清浄機に関するものである。
【背景技術】
【０００２】
従来、この種の空気清浄機は、吹出口と吸込口を有する本体ケースと、前記吸込口とに設けた空気清浄手段と、前記吸込口に備えた脱臭手段と、前記空気清浄手段と前記吹出口との間に備えた送風手段と、前記吹出口に設けた香り発生手段とからなるものが知られている。（例えば、特許文献１参照）
【先行技術文献】
【特許文献】
【０００３】
【特許文献１】特開昭６３−２８３６４８号公報
【発明の概要】
【発明が解決しようとする課題】
【０００４】
上記従来例の課題は、香り発生手段からの香り拡散性の更なる向上ということである。
【０００５】
すなわち、従来例は、空気清浄機を運転さると、除塵、脱臭を行いながら、香り発生手段から香りを発生させるものであった。このように、香り発生手段から香りを発生させながら、脱臭を行うと、発生させた香りも脱臭するものである。これにより、香り発生手段からの香り拡散性を抑制するものであった。
【０００６】
そこで本発明は、香り発生手段からの香り拡散性の更なる向上を目的とする。
【課題を解決するための手段】
【０００７】
そして、この目的を達成するために、本発明は、吹出口と第１の吸込口と第２の吸込口を有する本体ケースと、前記第１の吸込口と第２の吸込口とに設けた空気清浄手段と、前記第１の吸込口に備えた脱臭手段と、前記空気清浄手段と前記吹出口との間に備えた送風手段と、前記吹出口に設けた香り発生手段と、この香り発生手段からの香りの発生量を調整する香り調整手段とからなり、前記送風手段によって、前記第１の吸込口から吸い込まれた空気が、前記空気清浄手段と前記脱臭手段を介して吹出口へ送風される第１の風路と、前記送風手段によって、前記第２の吸込口から吸い込まれた空気が、前記空気清浄手段を介して吹出口へ送風される第２の風路とを有し、前記第１の風路における前記空気清浄手段と前記送風手段との間であると共に、前記第２の風路における前記空気清浄手段と前記送風手段との間に風路開閉手段を設け、この風路開閉手段は、前記第１の風路を開閉する構成とし、前記香り調整手段によって、前記香り発生手段からの香りの発生量を最大にすると、前記風路開閉手段は、前記第１の風路を閉じることを特徴としたものである。
【０００８】
これにより、所期の目的を達成するものである。
【発明の効果】
【０００９】
以上のように本発明は、吹出口と第１の吸込口と第２の吸込口を有する本体ケースと、前記第１の吸込口と第２の吸込口とに設けた空気清浄手段と、前記第１の吸込口に備えた脱臭手段と、前記空気清浄手段と前記吹出口との間に備えた送風手段と、前記吹出口に設けた香り発生手段と、この香り発生手段からの香りの発生量を調整する香り調整手段とからなり、前記送風手段によって、前記第１の吸込口から吸い込まれた空気が、前記空気清浄手段と前記脱臭手段を介して吹出口へ送風される第１の風路と、前記送風手段によって、前記第２の吸込口から吸い込まれた空気が、前記空気清浄手段を介して吹出口へ送風される第２の風路とを有し、前記第１の風路における前記空気清浄手段と前記送風手段との間であると共に、前記第２の風路における前記空気清浄手段と前記送風手段との間に風路開閉手段を設け、この風路開閉手段は、前記第１の風路を開閉する構成とし、前記香り調整手段によって、前記香り発生手段からの香りの発生量を最大にすると、前記風路開閉手段は、前記第１の風路を閉じることを特徴としたものである。
【００１０】
すなわち、送風手段によって、第１の吸込口から吸い込まれた空気が、空気清浄手段と脱臭手段を介して吹出口へ送風される第１の風路と、送風手段によって、第２の吸込口から吸い込まれた空気が、空気清浄手段を介して吹出口へ送風される第２の風路とを有し、第１の風路における空気清浄手段と送風手段との間であると共に、第２の風路における空気清浄手段と送風手段との間に風路開閉手段を設け、この風路開閉手段は、第１の風路を開閉する構成とし、香り調整手段によって、香り発生手段からの香りの発生量を最大にすると、風路開閉手段は、第１の風路を閉じるものである。
【００１１】
これにより、香り発生手段からの香りの発生量を最大にすると、風路開閉手段は、第１の風路を閉じるので、脱臭手段を有しない第２の風路によって送風され、脱臭手段によって、香り発生手段からの香りを脱臭することを防止することができる。結果として、香りの発生手段からの香り拡散性の更なる向上ができる。
【図面の簡単な説明】
【００１２】
【図１】本発明の実施の形態１の空気清浄機の外形を示す斜視図
【図２】同空気清浄機の正面から見た第１の風路全閉時の断面図
【図３】同空気清浄機の風路開閉手段の斜視図
【図４】同空気清浄機の側面から見た第１の風路全開時の垂直断面図
【図５】同空気清浄機の上から見た第１の風路全開時の水平断面図
【図６】同空気清浄機の側面から見た第１の風路全閉時の垂直断面図
【図７】同空気清浄機の上から見た第１の風路全閉時の水平断面図
【図８】同空気清浄機の香り発生手段の垂直断面図
【発明を実施するための形態】
【００１３】
以下、本発明の実施の形態について図面を参照しながら説明する。
【００１４】
（実施の形態１）
図１から図３、図８に示すように、本実施形態の空気清浄機は、吹出口２と吸込口３を有する本体ケース１と、この本体ケース１内に、空気清浄手段の清浄フィルタ４と、脱臭手段の脱臭フィルタ１５と、加湿手段５と、送風手段６と、風路開閉手段７と、香り発生手段２７とを備えている。
【００１５】
本体ケース１は、縦長箱形状で、天面には、吹出口２を設け、左右両側面には、吸込口３を備えている。吸込口３の内方には、第１の吸込口８と第２の吸込口９とを備えている。第１の吸込口８と第２の吸込口９とは、縦長四角形状で、上下に仕切り板１０によって仕切られている。第１の吸込口８は、第２の吸込口９の上方に設けられている。第１の吸込口８の開口面積は、第２の吸込口９の開口面積より大きい。なお、本体ケース１の少なくとも一方側の側面下部に第２の吸込口９を設け、第２の吸込口９の上方に第１の吸込口８を備えていれば良い。
【００１６】
本体ケース１は、軸方向が天面から上方へ伸びる円筒形状の筒部２６を備え、筒部２６の本体ケース１における天面側に、吹出口２を備えたものである。
【００１７】
清浄フィルタ４は、吸込口３と、第１の吸込口８および第２の吸込口９との間に設けられている。具体的には、第１の吸込口８および第２の吸込口９の外方で、本体ケース１における左右に１枚ずつ設けられている。清浄フィルタ４は、空気中の粉塵が除去できれば良く、例えば、高性能フィルタ、中性能フィルタ、あるいは静電フィルタなどがある。
【００１８】
脱臭手段である脱臭フィルタ１５は、第１の吸込口８で、清浄フィルタ４より風路における下流側に設けられている。脱臭フィルタ１５は、活性炭等を有し、空気中の悪臭物質を吸着除去できればよい。
【００１９】
加湿手段５は、第２の吸込口９の間に設けられている。加湿手段５は、椀形状の貯水容器２０と、この貯水容器２０の水に下端の開口が浸漬した筒形状の加湿フィルター２１とからなる。加湿フィルター２１は、吸い上げ式で、貯水容器２０の水を吸い上げられるものであれば良い。
【００２０】
送風手段６は、第１の吸込口８より上方で、清浄フィルタ４と吹出口２との間であり、加湿手段５と吹出口２との間に設けている。送風手段６としては、ターボファン、軸流送風機等などがある。送風手段６は、モータ部２３と、羽根部２４とからなる。モータ部２３は、モータ部２３の下面から鉛直下方に伸びたモータ軸２５を備えている。このモータ軸２５に羽根部２４が固定されている。羽根部２４が、モータ部２３によって回転すると、羽根部２４の下方の空気を、羽根部２４の上方へ送風できる。モータ部２３によって、羽根部２４が回転すると、羽根部２４の下方の空気を、羽根部２４の上方へ螺旋状に送風される。この螺旋状の送風が、円筒形状の筒部２６の内面に沿って流れる。
【００２１】
送風手段６によって送風される風路は、図４から図７に示すように、第１の風路１１と第２の風路１２とがある。
【００２２】
第１の風路１１は、送風手段６によって、吸込口３から吸い込まれた空気が、第１の吸込口８、清浄フィルタ４、送風手段６を介して吹出口２へ送風される風路である。第２の風路１２は、送風手段６によって、吸込口３から吸い込まれた空気が、第２の吸込口９、清浄フィルタ４、加湿手段５、送風手段６を介して吹出口２へ送風される風路である。すなわち、送風手段６によって、第１の風路１１と第２の風路１２との両方の風路から送風できる。
【００２３】
風路開閉手段７は、第１の風路１１における清浄フィルタ４と送風手段６との間であると共に、第２の風路１２における清浄フィルタ４と送風手段６との間であり、加湿手段５と送風手段６との間に設けている。この風路開閉手段７は、第１の風路１１を開閉できる。
【００２４】
具体的には、風路開閉手段７は、本体ケース１内に回動自在に設けられた円筒１３と、この円筒１３の側周面と接する遮蔽部１４と、円筒を回動する円筒回転手段とからなる。
【００２５】
円筒１３は、上下方向が軸方向で側周面に少なくとも１つ、つまり２つの側面開口１６を備えている。
【００２６】
第１の風路１１は、円筒１３の側面開口１６から上面の上面開口１７へと連通している。第２の風路１２は、円筒１３の下面の下面開口１８から上面開口１７へと連通している。ここで、円筒回転手段によって、円筒１３を回動させると遮蔽部１４によって側面開口１６の開口面積が変化するものである。
【００２７】
遮蔽部１４は、本体ケース１内における、本体ケース１前面側と背面側とが、内方に突出し、先端が、円筒１３の外周の側周面に沿う形状である。
【００２８】
円筒回転手段は、円筒１３の上端側面に設けられた円環状のギア２２と、本体ケース１内に設けたステッピングモータ（図示せず）と、このステッピングモータによって回動する歯車（図示せず）とからなる。ステッピングモータによって、歯車が回動し、この歯車と噛み合っているギア２２が回動することにより、円筒１３が回動するものである。
【００２９】
以上の構成で、図４から図７に示すように、円筒１３が回動し、側面開口１６と遮蔽部１４とが重なると、重なった部分だけ、側面開口１６が小さくなる。これにより、風路開閉手段７は、円筒１３を回動させ、遮蔽部１４によって側面開口１６を全開から全閉まで変化させることが出来る。
【００３０】
香り発生手段２７は、図８に示すように、吹出口２に設けられ、収納箱２８と、連通路２９と、香り発生手段からの香りの発生量を調整する香り調整手段である風向変更板３０とからなる。
【００３１】
収納箱２８は、本体ケース１の上部に設けられ、上面が開閉可能な箱形状で、内部に香りの発生体を収納できる。
【００３２】
連通路２９は、収納箱２８の一側面から吹出口２の中央へ伸びる筒形状で、収納箱２８と吹出口２とを連通する。
【００３３】
風向変更板３０は、平板形状で、吹出口２に俯仰方向へ回動自在に設けられている。
【００３４】
本実施形態における特徴は、香り調整手段によって、香り発生手段２７からの香りの発生量を最大にすると、風路開閉手段７は、第１の風路１１を閉じる点である。
【００３５】
具体的には、本体ケース１の天面の操作部３２で、香り発生手段２７からの香りの発生量を最大にすると、制御手段（図示せず）によって、風路開閉手段７は、第１の風路１１を閉じるように制御されるものである。
【００３６】
これにより、香り発生手段２７からの香りの発生量を最大にすると、風路開閉手段７は、第１の風路１１を閉じるので、脱臭手段を有しない第２の風路１２によって送風され、脱臭手段によって、香り発生手段からの香りを脱臭することを防止することができる。結果として、香りの発生手段からの香り拡散性の更なる向上ができる。
【００３７】
また、本体ケース１内に設けた加湿手段５を備え、この加湿手段５は、第２の風路１２における、空気清浄手段と風路開閉手段７との間に位置するものである。これにより、香り発生手段２７からの香りを発生させる場合には、加湿手段５によって加湿することができる。
【００３８】
すなわち、第１の風路１１を遮蔽し、香り発生手段２７からの香り発生量を最大にした場合、同時に加湿手段５を通過する風量も増加することができ、加湿と香り発生量を同時に最大とすることが可能である。なお、人は、湿度が高いほど香りを感じ易いので、加湿しながら香り発生手段から香りを発生させると拡散性が向上する。また、香り発生手段２７及び加湿手段５の貯水容器２０の水を取り除くことで、加湿運転または香り発生運転のいずかのみで運転が可能である。
【００３９】
また、本体ケース１の少なくとも一方側の側面下部に第２の吸込口９を設け、第２の吸込口９の上方に第１の吸込口８を備え、第１の吸込口８より上方に送風手段６を有している。風路開閉手段７は、本体ケース１内に回動自在に設けられた円筒１３と、この円筒１３の側周面と接する遮蔽部１４と、円筒１３を回転する円筒回転手段とからなる。円筒１３は、上下方向が軸方向で側周面に少なくとも１つの側面開口１６を設けている。第１の風路１１は、円筒の側面開口１６から上面の上面開口１７へと連通し、第２の風路１２は、円筒１３の下面の下面開口１８から上面の上面開口１７へと連通し、円筒回転手段によって、円筒１３を回転させると遮蔽部１４によって側面開口を開閉する。
【００４０】
すなわち、側面開口１６を全開から全閉することができるので、第１の風路を遮蔽し、脱臭手段を有しない第２の風路１２のみとなり、脱臭手段によって、香り発生手段からの香りを脱臭することを防止することができる。
【００４１】
また、香り発生手段２７は、本体ケース１に設けた香りの発生体を収納できる収納箱２８と、この収納箱２８から吹出口２へ伸びると共に、収納箱２８と吹出口２とを連通する連通路２９とからなる。香り調整手段は、吹出口２に回動自在に設けた風向変更板３０で、この風向変更板３０を回動させることにより連通路２９の先端の開口部３１での風速を変化させることができる。
【００４２】
すなわち、連通路２９の先端の開口部３１の風速を変化させることで、連通路２９における誘引気流を変化させ、香りの発生量を調整することができる。
【００４３】
これにより、風向変更板３０が回動し、連通路２９の先端の開口部３１に最接近したときに風速が最大となり、香りの発生量も最大となる。逆に、脱臭手段を有する第１の風路１１によって送風される運転モードにおいては、風向変更板３０の回転角度を調整することで、香りの発生を抑えることが可能である。
【産業上の利用可能性】
【００４４】
以上のように本発明は、吹出口と吸込口を有する本体ケースと、この吸込口に設けた空気清浄手段と、この空気清浄手段と前記吹出口との間に備えた送風手段と、前記本体ケースの上部に設けた香り発生手段とからなり、前記香り発生手段は、前記本体ケースに設けた香りの発生体を収納できる収納箱と、この収納箱から前記吹出口へ伸びると共に、前記収納箱と前記吹出口とを連通する連通路と、前記吹出口に回動自在に設けた風向変更板とからなり、この風向変更板を回動させることにより前記連通路の先端の開口部での風速を変化させることを特徴としたものである。
【００４５】
すなわち、風向変更板を回動させることにより連通路の先端の開口部での吹出口から送風される風速を変化させ、収納箱内の香りを吹出口へ誘引し、この香りを吹出口からの送風によって室内へ拡散させることができる。結果として、香りの発生体を収納できる収納箱からの香り拡散性の更なる向上ができ、家庭用や事務所用などの付空気清浄機にも適用できる。
【符号の説明】
【００４６】
１      本体ケース
２      吹出口
３      吸込口
４      清浄フィルタ
５      加湿手段
６      送風手段
７      風路開閉手段
８      第１の吸込口
９      第２の吸込口
１０      仕切り板
１１      第１の風路
１２      第２の風路
１３      円筒
１４      遮蔽部
１５      脱臭フィルタ
１６      側面開口
１７      上面開口
１８      下面開口
２０      貯水容器
２１      加湿フィルター
２２      ギア
２３      モータ部
２４      羽根部
２５      モータ軸
２６      筒部
２７      香り発生手段
２８      収納箱
２９      連通路
３０      風向変更板
３１      開口部
３２      操作部
【図１】
2015021701.tif 000003
【図２】
2015021701.tif 000004
【図３】
2015021701.tif 000005
【図４】
2015021701.tif 000006
【図５】
2015021701.tif 000007
【図６】
2015021701.tif 000008
【図７】
2015021701.tif 000009
【図８】
2015021701.tif 000010